【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
第１移動体通信装置と、
第２移動体通信装置と
を具備し、
前記第１移動体通信装置は、第１固定ＩＰアドレスが割り振られる第１無線通信モジュールを含む複数の無線通信モジュールを備え、
前記第２移動体通信装置は、第２固定ＩＰアドレスが割り振られる第２無線通信モジュールを含む複数の無線通信モジュールを備え、
前記第１移動体通信装置が備える前記複数の無線通信モジュールと前記第２移動体通信装置が備える前記複数の無線通信モジュールが、複数のＩＰトンネルでそれぞれ接続され、
前記第１無線通信モジュールと前記第２無線通信モジュールが第１ＩＰトンネルで接続され、
前記第１移動体通信装置が備える前記複数の無線通信モジュールは、第１可変ＩＰアドレスが割り振られる第３無線通信モジュールを含み、
前記第２移動体通信装置が備える前記複数の無線通信モジュールは、第２可変ＩＰアドレスが割り振られる第４無線通信モジュールを含み、
前記第１無線通信モジュールは、前記第２固定ＩＰアドレスを用いて前記第２無線通信モジュールに前記第１ＩＰトンネルによる接続を要求する第１トンネル接続要求を送信し、
前記第１トンネル接続要求に基づいて、前記第１無線通信モジュールと前記第２無線通信モジュールが前記第１ＩＰトンネルで接続され、
前記第１無線通信モジュールは、前記第１ＩＰトンネルを介して前記第２無線通信モジュールから前記第２可変ＩＰアドレスを取得し、
前記第３無線通信モジュールは、前記第２可変ＩＰアドレスを用いて前記第４無線通信モジュールに第２トンネル接続要求を送信し、
前記第２トンネル接続要求に基づいて、前記第３無線通信モジュールと前記第４無線通信モジュールが第２ＩＰトンネルで接続される
移動体通信システム。
【請求項２】
前記第１移動体通信装置及び前記第２移動体通信装置は、前記複数のＩＰトンネルをそれぞれ含む複数の回線の中の第１回線を用いて通信を行い、前記第１回線に障害が発生すると前記複数の回線の中の第２回線に切り替えて通信を継続する
請求項１に記載の移動体通信システム。
【請求項３】
前記第１回線と前記第２回線は異なる通信キャリアによって提供される
請求項２に記載の移動体通信システム。
【請求項４】
前記第１移動体通信装置は、前記第２移動体通信装置が備える前記複数の無線通信モジュールにそれぞれ割り振られる複数のＩＰアドレスの接続優先順位を登録した管理テーブルを備え、
前記第１移動体通信装置は、前記管理テーブルの前記接続優先順位に基づいて、前記第１回線及び前記第２回線を選択する
請求項２又は３に記載の移動体通信システム。
【請求項５】
前記第１移動体通信装置及び前記第２移動体通信装置は、前記複数のＩＰトンネルをそれぞれ含む複数の回線を同時に用いて通信を行う
請求項１に記載の移動体通信システム。
【請求項６】
第１無線通信モジュール及び第３無線通信モジュールを含む移動体通信装置であって、
第１固定ＩＰアドレスが割り振られる前記第１無線通信モジュールが、第２固定ＩＰアドレスが割り振られる接続先移動体通信装置内の第２無線通信モジュールに第１トンネル接続要求を送信する手段と、
前記第１無線通信モジュールと前記第２無線通信モジュールを第１ＩＰトンネルで接続する手段と、
前記第１無線通信モジュールが、前記第１ＩＰトンネルを介して前記第２無線通信モジュールにＩＰアドレス取得要求を送信する手段と、
前記接続先移動体通信装置内の第４無線通信モジュールのＩＰアドレスを取得する手段と、
前記第３無線通信モジュールが、前記取得された第４無線通信モジュールのＩＰアドレスを用いて、前記第４無線通信モジュールに第２トンネル接続要求を送信する手段と、
前記第３無線通信モジュールと前記第４無線通信モジュールを第２ＩＰトンネルで接続する手段と、を含むことを特徴とする移動体通信装置。
【請求項７】
第２無線通信モジュール及び第４無線通信モジュールを含む移動体通信装置であって、
第２固定ＩＰアドレスが割り振られる前記第２無線通信モジュールが、第１固定ＩＰアドレスが割り振られる接続先移動体通信装置内の第１無線通信モジュールから受信した第１トンネル接続要求に応じて第１トンネル接続応答を前記第１無線通信モジュールに送信する手段と、
前記第１無線通信モジュールと前記第２無線通信モジュールを第１ＩＰトンネルで接続する手段と、
前記第２無線通信モジュールが、前記第１ＩＰトンネルを介して前記第１無線通信モジュールから受信したＩＰアドレス取得要求に応じて第４無線通信モジュールに割り振られるＩＰアドレスを前記第１ＩＰトンネルを介して前記第１無線通信モジュールに送信する手段と、
前記第４無線通信モジュールが、前記接続先移動体通信装置内の第３無線通信モジュールから受信した第２トンネル接続要求に応じて第２トンネル接続応答を前記第３無線通信モジュールに送信する手段と、
前記第３無線通信モジュールと前記第４無線通信モジュールを第２ＩＰトンネルで接続する手段と、を含むことを特徴とする移動体通信装置。
【請求項８】
第１無線通信モジュール及び第３無線通信モジュールを含む移動体通信装置を制御するプログラムであって、
第１固定ＩＰアドレスが割り振られる前記第１無線通信モジュールが、第２固定ＩＰアドレスが割り振られる接続先移動体通信装置内の第２無線通信モジュールに第１トンネル接続要求を送信し、前記第１無線通信モジュールと前記第２無線通信モジュールを第１ＩＰトンネルで接続し、
前記第１無線通信モジュールが、前記第１ＩＰトンネルを介して前記第２無線通信モジュールにＩＰアドレス取得要求を送信し、前記接続先移動体通信装置内の第４無線通信モジュールのＩＰアドレスを取得し、
前記第３無線通信モジュールが、前記取得された第４無線通信モジュールのＩＰアドレスを用いて、前記第４無線通信モジュールに第２トンネル接続要求を送信し、前記第３無線通信モジュールと前記第４無線通信モジュールを第２ＩＰトンネルで接続することを特徴とするプログラム。
【請求項９】
第２無線通信モジュール及び第４無線通信モジュールを含む移動体通信装置を制御するプログラムであって、
第２固定ＩＰアドレスが割り振られる前記第２無線通信モジュールが、第１固定ＩＰアドレスが割り振られる接続先移動体通信装置内の第１無線通信モジュールから受信した第１トンネル接続要求に応じて第１トンネル接続応答を前記第１無線通信モジュールに送信し、前記第１無線通信モジュールと前記第２無線通信モジュールを第１ＩＰトンネルで接続し、
前記第２無線通信モジュールが、前記第１ＩＰトンネルを介して前記第１無線通信モジュールから受信したＩＰアドレス取得要求に応じて、第４無線通信モジュールに割り振られるＩＰアドレスを前記第１ＩＰトンネルを介して前記第１無線通信モジュールに送信し、
前記第４無線通信モジュールが、前記接続先移動体通信装置内の第３無線通信モジュールから受信した第２トンネル接続要求に応じて第２トンネル接続応答を前記第３無線通信モジュールに送信し、前記第３無線通信モジュールと前記第４無線通信モジュールを第２ＩＰトンネルで接続することを特徴とするプログラム。
【手続補正２】
【補正対象書類名】明細書
【補正対象項目名】発明の名称
【補正方法】変更
【補正の内容】
【発明の名称】移動体通信システム、移動体通信装置、及びプログラム